(57)【要約】【課題】  リアリティのある疑似餌の動きを容易に生じさせることができる疑似餌仕掛け用の錘を提供する。【解決手段】  釣糸２０と疑似餌３０との間に介在される疑似餌仕掛け用の錘１であって、線状のばね材を折り曲げて一対の腕部１２，１３を形成し、折り曲げ部１１に釣糸が取り付けられると共に、一方の腕部１２の先端部に疑似餌３０の取付部１２ａを有する保持部材１０と、他方の腕部１３に装着される浮力体２および錘本体３とを備える。【選択図】  図１
0003164973.tif 000002
【実用新案登録請求の範囲】
【請求項１】
釣糸と疑似餌との間に介在される疑似餌仕掛け用の錘であって、
線状のばね材を折り曲げて一対の腕部を形成し、折り曲げ部に釣糸が取り付けられると共に、一方の前記腕部の先端部に疑似餌の取付部を有する保持部材と、
他方の前記腕部に装着される浮力体および錘本体とを備える疑似餌用の錘。
【請求項２】
前記浮力体および錘本体は、略同径の円筒状に形成されており、前記折り曲げ部に近い側に前記浮力体が配置されるように、それぞれ他方の前記腕部に挿通されている請求項１に記載の疑似餌用の錘。
【請求項３】
前記錘本体は、一方の前記腕部を湾曲状態で保持可能なコイル状の挟持部を備える請求項２に記載の疑似餌用の錘。
【考案の詳細な説明】
【技術分野】
【０００１】
本考案は、疑似餌仕掛け用の錘に関する。
【背景技術】
【０００２】
疑似餌を用いた釣りは、手軽で取り扱いが容易であることから、最近広く行われている。例えば、ワームと呼ばれる軟質の疑似餌を用いた仕掛け（リグ）は、錘の有無や位置等に応じてノーシンカーリグ、ジグヘッドリグ、テキサスリグ、キャロライナリグなど種々の種類が存在しており、場所や用途などに応じて使い分けがなされている。
【０００３】
従来の疑似餌として、特許文献１に開示された構成が知られている。図７に示すように、疑似餌５０は、一本の針金から平面視Ｖ字状に形成した一対の側方ロアアーム５１，５１を備えており、一対の側方ロアアーム５１，５１間に円環状の係合部５１ａが設けられている。この係合部５１ａには、アッパーアーム５２の先端に設けられた係合部５２ａが係脱可能に取り付けられる。一対の側方ロアアーム５１，５１には錘５３，５３が取り付けられ、アッパーアーム５２には疑似餌本体５４が装着されている。一対の側方ロアアーム５１，５１とアッパーアーム５２との間には、弾性ワイヤ５５，５５が弧状に撓み変形させた状態で架設されている。
【先行技術文献】
【特許文献】
【０００４】
【特許文献１】特開２０１０−２２２４３号公報
【考案の概要】
【考案が解決しようとする課題】
【０００５】
上記従来の疑似餌５０は、係合部５１ａに釣糸５６を結びつけて、錘５３，５３を水底に接地させた状態で這わせると、疑似餌本体５４が装着されたアッパーアーム５２が、係合部５１ａへの取付部を支点として弾性ワイヤ５５，５５の弾性力により揺動するため、これに伴う疑似餌本体５４の動きによって魚等の誘引を図っている。ところが、この疑似餌５０を水中に保持したままシャクリ動作を入れた場合、疑似餌本体５４が急激に沈下すると共に、弾性ワイヤ５５，５５の弾性力による疑似餌本体５４の動きが単調な振動になることから、十分な釣果を得にくいという問題があった。
【０００６】
そこで、本考案は、リアリティのある疑似餌の動きを容易に生じさせることができる疑似餌仕掛け用の錘を提供することを目的とする。
【課題を解決するための手段】
【０００７】
本考案の前記目的は、釣糸と疑似餌との間に介在される疑似餌仕掛け用の錘であって、線状のばね材を折り曲げて一対の腕部を形成し、折り曲げ部に釣糸が取り付けられると共に、一方の前記腕部の先端部に疑似餌の取付部を有する保持部材と、他方の前記腕部に装着される浮力体および錘本体とを備える疑似餌用の錘により達成される。
【０００８】
この疑似餌用の錘において、前記浮力体および錘本体は、略同径の円筒状に形成されていることが好ましく、前記折り曲げ部に近い側に前記浮力体が配置されるように、それぞれ他方の前記腕部に挿通されていることが好ましい。
【０００９】
また、前記錘本体は、一方の前記腕部を湾曲状態で保持可能なコイル状の挟持部を備えることが好ましい。
【考案の効果】
【００１０】
本考案によれば、リアリティのある疑似餌の動きを容易に生じさせることができる疑似餌仕掛け用の錘を提供することができる。
【図面の簡単な説明】
【００１１】
【図１】本考案の一実施形態に係る疑似餌仕掛け用の錘の側面図である。
【図２】本考案の他の実施形態に係る疑似餌仕掛け用の錘の要部断面図である。
【図３】本考案の更に他の実施形態に係る疑似餌仕掛け用の錘の要部断面図である。
【図４】本考案の更に他の実施形態に係る疑似餌仕掛け用の錘の側面図である。
【図５】図１に示す疑似餌仕掛け用の錘の使用方法を説明するための図である。
【図６】図４に示す疑似餌仕掛け用の錘の使用方法を説明するための図である。
【図７】従来の疑似餌の平面図である。
【考案を実施するための形態】
【００１２】
以下、本考案の一実施形態について添付図面を参照しつつ説明する。図１は、本考案の一実施形態に係る疑似餌仕掛け用の錘の側面図である。図１に示すように、疑似餌仕掛け用の錘１は、保持部材１０と、この保持部材１０に装着される浮力体２および錘本体３とを備えて構成されており、釣竿のリール(図示せず）から延びる釣糸２０と疑似餌３０との間に介在される。
【００１３】
保持部材１０は、ステンレス等のばね材からなる線材を折り曲げることにより形成され、折り曲げ部１１を挟んで両側に一対の腕部１２，１３を備えている。本実施形態においては、保持部材１０をねじりコイルばねから形成し、一巻きのコイル部を折り曲げ部１１としているが、一対の腕部１２，１３間の角度を所定の範囲内（例えば２０〜７０度）で一定に保持できる程度の弾性力が生じる構成であればよく、例えば、線状のばね材を折り曲げ部１１で折り返して屈曲させた構成であってもよい。折り曲げ部１１には、釣糸２０が結着等により取り付けられる。
【００１４】
保持部材１０の一方の腕部１２の先端には、疑似餌３０を取り付けるためのリング状の取付部１２ａを有しており、疑似餌３０の仕掛糸３１が取り付けられる。取付部１２ａは、仕掛糸３１を着脱自在に取り付け可能な他の形態であってもよい。疑似餌３０は、仕掛糸３１にサルカン（ヨリモドシ）３２を介して取り付けられた釣針３３に、疑似餌本体３４を装着して構成されている。疑似餌本体３４は、軟質のワームであることが好ましいが、ハードルアーを使用することもできる。
【００１５】
浮力体２および錘本体３は、いずれも略同径の円筒状に形成されている。浮力体２は、発泡スチロール等の浮力の大きい材料から形成され、錘本体３は、鉛等の比重が大きい材料から形成される。浮力体２および錘本体３は、軸線に沿ってそれぞれ貫通孔（図示せず）が形成されており、他方の腕部１３に挿通した後、腕部１３の先端にゴムキャップ等の留め具４を取り付けることにより、他方の腕部１３に装着されている。浮力体２および錘本体３は、他方の腕部１３に沿った細長の形状であることが好ましいが、必ずしも円筒形状に限定されるものではない。
【００１６】
浮力体２および錘本体３は、折り曲げ部１１に近い側に浮力体２が配置され、他方の腕部１３の先端側に錘本体３が配置されることが好ましい。これによって、水中での錘本体３の姿勢を安定させる効果が生じると共に、保持部材１０に大きなねじりモーメントを発生させて、疑似餌本体３４に大きなアクションを生じさせることができる。浮力体２および錘本体３をこのように配置するため、図２に断面図で示すように、貫通孔２ａを有する浮力体２と、有底孔３ａを有する錘本体３とを同軸上に配置し、有底孔３ａの底部にゴム筒等の装着部３ｂを設けて、他方の腕部１３の先端を装着部３ｂに装着した構成にすることができる。或いは、図３に断面図で示すように、錘本体３を一端側に縮径部３ｃを有する構成とし、この縮径部３ｃに浮力体２を外嵌して、図２の構成と同様に、錘本体３の有底孔３ａの底部に装着部３ｂを設けた構成にすることもできる。但し、浮力体２および錘本体３の上記配置は本考案において必須のものではなく、例えば、錘本体３の外周面に浮力体２を巻き付けた構成にすることもできる。
【００１７】
また、図４に示すように、円筒状の錘本体３の端部に、ばね線材をコイル状に巻回して形成され、一方の腕部１２を湾曲状態で保持可能な挟持部３ｄを設けることもできる。挟持部３ｄは、例えば、浮力体２および錘本体３を挿通した他方の腕部１３の先端をコイル状に巻回して形成することができる。
【００１８】
次に、図１に示す疑似餌仕掛け用の錘１の使用方法を説明する。この疑似餌仕掛け用の錘１は、疑似餌を用いる釣り全般に使用可能であるが、アジ、キス、カマス、メバル、ガシラなど、いわゆる中小物釣りに適している。
【００１９】
図５に示すように、保持部材１０の折り曲げ部１１に釣糸２０を取り付けると共に、一方の腕部１２の取付部１２ａに疑似餌３０を取り付けた状態で、疑似餌仕掛け用の錘１を水中で斜め上方（矢示Ａ方向）に引き上げると、錘本体３は、引き上げ方向に軸線が沿うように傾斜した状態で、斜め上方（矢示Ｂ方向）に移動する。ついで、釣糸２０の張力を緩めると、錘本体３は自重により傾斜方向に沿って水中を沈下していくが、浮力体２の存在によって錘本体３は徐々にしか起立しないため、引き上げ方向を逆方向に辿るように（矢示Ｃ方向）錘本体３が沈下する。したがって、シャクリ動作による疑似餌本体３４の動きが、あたかも沖に向かって逃げるような自然な動きになるため、魚を誘引し易くなる。
【００２０】
また、上記のように、錘本体３の上下動の軌跡が略一致することで、疑似餌本体３４を同じ水深に留め易くなるため、対象となる魚の生息深度に合わせた釣りを容易に行うことができる。
【００２１】
更に、疑似餌仕掛け用の錘１は、引き上げ時に水の抵抗を受けて一対の腕部１２，１３の角度αが小さくなるように保持部材１０が撓み変形するため、これによって蓄積されたばね力が釣糸２０の弛緩時に解放されて疑似餌本体３４に伝達される。この結果、上述した錘本体３の動きと相俟って、疑似餌本体３４にリアリティのある動きを生じさせることができる。
【００２２】
図４に示す疑似餌仕掛け用の錘１については、上述した図１に示す疑似餌仕掛け用の錘１と同様に使用できる他、図６に示すように、挟持部３ｄを構成するばね線材間の隙間に一方の腕部１２を差し込んで挟持し、取付部１２ａを挟持部３ｄのコイルに挿通することにより、一方の腕部１２が撓み変形により湾曲した状態で挟持部３ｄに保持される。疑似餌仕掛け用の錘１をこの状態で使用すると、投げ釣りをする際の飛距離を伸ばすことができると共に、水中では一方の腕部１２の湾曲によって疑似餌仕掛け用の錘１自体も疑似餌のような動きが生じ、魚の誘引効果を高めることができる。また、流通時や不使用時にはコンパクトな構成にすることができる。
【符号の説明】
【００２３】
１  疑似餌仕掛け用の錘
２  浮力体
３  錘本体
３ｄ  挟持部
１０  保持部材
１１  折り曲げ部
１２，１３  腕部
１２ａ  取付部
２０  釣糸
３０  疑似餌
【図１】
0003164973.tif 000003
【図２】
0003164973.tif 000004
【図３】
0003164973.tif 000005
【図４】
0003164973.tif 000006
【図５】
0003164973.tif 000007
【図６】
0003164973.tif 000008
【図７】
0003164973.tif 000009